(57)【要約】      （修正有）【課題】フレームとなる金属管の組立・分解やその軸受台に対する折りたたみを、工具類の必要なく行なえるようにする。【解決手段】差込み支柱管部（２）（２）に１本の貫通ピン（４）（４）が差し込まれた金属管（Ｆ１）と、その支柱管部（２）（２）を受け入れる雄ネジ口筒が垂立された合成樹脂製の軸受台（Ｂ１）（Ｂ２）とから成り、上記金属管（Ｆ１）の支柱管部（２）（２）へ予じめスライド自在に差し込んだ別個な合成樹脂製のキャップナット（３７）（３７）を、上記軸受台（Ｂ１）（Ｂ２）の雄ネジ口筒へ螺合締結することにより、上記貫通ピン（４）（４）を締め上げれば、上記金属管（Ｆ１）と軸受台（Ｂ１）（Ｂ２）とが相対的な回動不能に固定ロックされる一方、同じくキャップナットを弛緩させれば、金属管（Ｆ１）と軸受台との相対的な回動が自由となるように定めた。【選択図】図５
0003124476.tif 000002
【実用新案登録請求の範囲】
【請求項１】
垂直な差込み支柱管部の中途高さ位置へ、１本の水平な貫通ピンが抜き差し自在に差し込まれた金属管と、
その金属管の差込み支柱管部を受け入れる雄ネジ口筒が、連続一体に垂立された合成樹脂製の軸受台とから成り、
上記貫通ピンと係脱自在に係合するカム溝の向かい合う一対を、上記雄ネジ口筒の開口縁部へ半円型に切り欠くと共に、
上記金属管の差込み支柱管部へ予じめスライド自在に通し込んだ別個な合成樹脂製のキャップナットを、上記軸受台の雄ネジ口筒へ螺合締結することにより、上記貫通ピンを差込み支柱管部からの抜け止め状態に被覆して、
上記貫通ピンがカム溝へ沈み込み係合した状態において、上記キャップナットを締め上げれば、上記金属管とその軸受台とが相対的な回動不能に固定ロックされる一方、
同じくキャップナットを弛緩させれば、上記貫通ピンがカム溝から浮き出し遊離して、金属管とその軸受台との相対的な回動が自由となるように関係設定したことを特徴とする屋内用遊具のフレーム組立構造。
【請求項２】
差込み支柱管部の中途高さ位置へ複数個の貫通ピン受け入れ孔を上下数段として開口分布させ、その貫通ピン受け入れ孔へ１本の貫通ピンを択一的に差し替えることを特徴とする請求項１記載の屋内用遊具のフレーム組立構造。
【請求項３】
キャップナットを吊り鐘型に一体成形して、その円錐頭部の内面に設けた貫通ピン用押圧段面により、貫通ピンをカム溝へ押え付け拘束することを特徴とする請求項１記載の屋内用遊具のフレーム組立構造。
【考案の詳細な説明】
【技術分野】
【０００１】
本考案は屋内に据え立てられるブランコや鉄棒、その他の幼児用遊具を形作るフレームの組立構造に関する。
【背景技術】
【０００２】
この種屋内用遊具の典型例としては、折りたたみ式のブランコが公知であり、そのフレームは金属管から組み立てられている。
【特許文献１】特開２００２−１２６３５７号公報
【特許文献２】特開平８−３３６６６９号公報
【考案の開示】
【考案が解決しようとする課題】
【０００３】
上記ブランコの折りたたみは工具類を要することなく行なえるが、その組立と分解には工具類が不可欠であり、一般家庭の使用者にとって未だ甚だ煩らわしい作業となる。
【課題を解決するための手段】
【０００４】
本考案はこのような課題の改良を目的としており、その目的を達成するために請求項１では、屋内用遊具のフレーム組立構造として、垂直な差込み支柱管部の中途高さ位置へ、１本の水平な貫通ピンが抜き差し自在に差し込まれた金属管と、
【０００５】
その金属管の差込み支柱管部を受け入れる雄ネジ口筒が、連続一体に垂立された合成樹脂製の軸受台とから成り、
【０００６】
上記貫通ピンと係脱自在に係合するカム溝の向かい合う一対を、上記雄ネジ口筒の開口縁部へ半円型に切り欠くと共に、
【０００７】
上記金属管の差込み支柱管部へ予じめスライド自在に通し込んだ別個な合成樹脂製のキャップナットを、上記軸受台の雄ネジ口筒へ螺合締結することにより、上記貫通ピンを差込み支柱管部からの抜け止め状態に被覆して、
【０００８】
上記貫通ピンがカム溝へ沈み込み係合した状態において、上記キャップナットを締め上げれば、上記金属管とその軸受台とが相対的な回動不能に固定ロックされる一方、
【０００９】
同じくキャップナットを弛緩させれば、上記貫通ピンがカム溝から浮き出し遊離して、金属管とその軸受台との相対的な回動が自由となるように関係設定したことを特徴とする。
【００１０】
又、請求項１に従属する請求項２では、差込み支柱管部の中途高さ位置へ複数個の貫通ピン受け入れ孔を上下数段として開口分布させ、その貫通ピン受け入れ孔へ１本の貫通ピンを択一的に差し替えることを特徴とする。
【００１１】
更に、同じく請求項１に従属する請求項３では、キャップナットを吊り鐘型に一体成形して、その円錐頭部の内面に設けた貫通ピン用押圧段面により、貫通ピンをカム溝へ押え付け拘束することを特徴とする。
【考案の効果】
【００１２】
請求項１の構成では、軸受台の雄ネジ口筒に螺合締結されているキャップナットを手先により螺退操作して、その雄ネジ口筒から完全に取りはずせば、上記軸受台から金属管の差込み支柱管部を抜き出し分解することができ、その再度の組立もキャップナットを螺進操作して、上記雄ネジ口筒へ螺合締結すれば足り、フレームの組立と分解の作業上工具類を一切必要としない。
【００１３】
又、上記雄ネジ口筒に対してキャップナットを若干弛緩させれば、金属管の差込み支柱管部に差し込まれている水平な貫通ピンが、軸受台における雄ネジ口筒のカム溝から自づと浮き出し遊離するため、上記金属管とその軸受台とを相対的に回動させることができ、フレームの折りたたみ作業も工具類の必要なく、手先での瞬時に行なえる。
【００１４】
他方、上記キャップナットを強く締め上げれば、これによって貫通ピンが雄ネジ口筒のカム溝へ沈み込む如く押え付け拘束されるため、金属管とその軸受台とが相対的に回動するおそれなく、安定・強固な組立状態を保つことができる。
【００１５】
そして、何れにしても上記貫通ピンはキャップナットによって被覆されるため、金属管の差込み支柱管部から不慮に抜け出し落下するおそれはなく、そのキャップナットによって外観上優美な化粧効果も維持し得るのである。
【００１６】
特に、請求項２の構成を採用するならば、軸受台に対する金属管の差し込み深さ又は軸受台から垂立する金属管の設置高さを、幼児の年令や身長などに応じて高低調整できる効果があり、使用上の利便性が昂まる。
【００１７】
更に、請求項３の構成を採用するならば、金属管とその軸受台との相対的に回動しない固定ロック状態を、一層安定裡に保つことができ、使用中の安全性がますます向上する。
【考案を実施するための最良の形態】
【００１８】
以下、図面に基いて本考案の具体的構成を詳述すると、図１〜１０はその本考案に係る屋内用遊具の一例として、ジャングルジム（Ｇ）と分解可能に組立使用される折りたたみ式のブランコを示しており、これはブランコ本体（Ｓ）を吊り下げるための天井枠フレーム（Ｆ１）と、これを下方から支持する左右一対の軸受台（Ｂ１）（Ｂ２）並びに床枠フレーム（Ｆ２）とから成り立っている。
【００１９】
即ち、その折りたたみ式ブランコの組立使用状態を示した図１〜６において、先ず天井枠フレーム（Ｆ１）は１本の金属管から水平なバー管部（１）と、左右一対の垂直な差込み支柱管部（２）（２）とを備えた正面視の門字型に屈曲されている。
【００２０】
（３）（３）はその両差込み支柱管部（２）（２）の中途高さ位置へ図５のように、一定の上下相互間隔を保つ数段として各々開口分布された複数個の貫通ピン受け入れ孔であり、左右方向への水平に貫通している。（４）（４）はその左右相互間での同じ高さ位置に開口する任意な１個づつの貫通ピン受け入れ孔（３）（３）へ、各々抜き差し自在に差し込まれた１本づつの水平な貫通ピンであり、何れも差し込みストッパーとなる径大な丸頭部（４ａ）（４ａ）を備えている。
【００２１】
図示実施形態では上記貫通ピン（４）（４）を、その複数個の貫通ピン受け入れ孔（３）（３）へ択一的に差し替えることにより、天井枠フレーム（Ｆ１）における水平なバー管部（１）の地上高さを、幼児の年令や身長などに応じて高低調整できるようになっているが、その貫通ピン受け入れ孔（３）（３）を１個づつとして、両差込み支柱管部（２）（２）における左右相互間での同じ高さ位置へ開口させるだけにとどめても良い。
【００２２】
上記ブランコ本体（Ｓ）は椅子型の座席（５）と、これを吊り下げる金属管のＵ字型ハンガーアーム（６）とから成り、そのハンガーアーム（６）の上端部が図７のような左右一対の係止フック（７）（７）を介して、上記天井枠フレーム（Ｆ１）のバー管部（１）へ係脱自在に、且つ前後方向へ揺動し得るように係止されている。
【００２３】
（８）は同じくバー管部（１）へ上方から差し込み被着された硬質な合成樹脂製のトップパネルであるが、その下向く左右一対のダボ（９）（９）が上記係止フック（７）（７）と着脱自在に咬み合わされることにより、その両係止フック（７）（７）の左右相互間隔を一定に保っている。（１０）（１０）はトップパネル（８）の横ズレを防ぐ左右一対のストッパーリングであり、上記天井枠フレーム（Ｆ１）のバー管部（１）に予じめ通し込み固定されている。
【００２４】
尚、天井枠フレーム（Ｆ１）から上記パネル（８）と引き続き両係止フック（７）（７）を取りはずすことにより、その天井枠フレーム（Ｆ１）の水平なバー管部（１）を鉄棒として使用することも可能である。
【００２５】
次に、床枠フレーム（Ｆ２）も上記天井枠フレーム（Ｆ１）と同じ太さの金属管から成るが、これは垂直な差込み支柱管部（１１）（１１）と水平な接地脚管部（１２）（１２）とを備えた側面視のＬ字型に並列するエルボ管（１３）（１３）と、その接地脚管部（１２）（１２）の相反する張り出し前端と後端へ、各々回動コーナー継手（Ｃ）（Ｃ）を介して枢支連結された起伏ストレート管（１４）（１４）との一対づつから、全体的な前後の対称形態に枠組みされており、ブランコの組立使用状態ではその両起伏ストレート管（１４）（１４）も水平に接地することとなる。
【００２６】
そして、両エルボ管（１３）（１３）における垂直な差込み支柱管部（１１）（１１）の同じ中途高さ位置には、１個づつの貫通ピン受け入れ孔（１５）（１５）が開口形成されており、ここには上記天井枠フレーム（Ｆ１）側の貫通ピン（４）（４）と同じ径大な丸頭部（１６ａ）（１６ａ）を備えた水平な貫通ピン（１６）（１６）の１本づつが、やはり抜き差し自在に各々差し込まれている。
【００２７】
上記ブランコの組立使用状態では図１〜６から明白なように、その床枠フレーム（Ｆ２）側の貫通ピン（１６）（１６）が上記天井枠フレーム（Ｆ１）側の貫通ピン（４）（４）と平行になる。又、床枠フレーム（Ｆ２）の接地した水平な起伏ストレート管（１４）（１４）が、上記天井枠フレーム（Ｆ１）のバー管部（１）と平行に延在する。
【００２８】
先に一言した回動コーナー継手（Ｃ）（Ｃ）の各個は図１１〜１４に抽出して示す如く、硬質な合成樹脂から平面視のほぼ扇型に一体成形されており、その直角な交叉状態にある接地脚管部受け入れ口筒（１７）と起伏ストレート管受け入れ口筒（１８）へ、上記エルボ管（１３）における接地脚管部（１２）の張り出し先端と上記起伏ストレート管（１４）の基端とが、各々対応的に差し込まれている。
【００２９】
その際図１０から明白なように、、起伏ストレート管（１４）がその受け入れ口筒（１８）の貫通ボルト（１９）とナット（２０）により、回動コーナー継手（Ｃ）と固定一体化されているに反し、上記エルボ管（１３）の接地脚管部（１２）はその内蔵の板バネ（２１）により、常時突出する付勢状態に保たれた出没ピン（２２）を介して、その受け入れ口筒（１７）からの抜け止め状態に組み立てられている。
【００３０】
しかも、上記接地脚管部受け入れ口筒（１７）の円周面にはその出没ピン（２２）と係合する回動ガイド長孔（２３）が、約９０度の角度範囲（α）分として切り欠かれており、これによって上記床枠フレーム（Ｆ２）の起伏ストレート管（１４）を、エルボ管（１３）の接地脚管部（１２）と同じ水平な接地使用状態から、約９０度だけ各々回動操作して起立させることができ、又逆に伏倒させることもできるようになっている。
【００３１】
尚、上記回動ガイド長孔（２３）から突出している出没ピン（２２）を、その板バネ（２１）に抗して押し込み没入させることによって、上記エルボ管（１３）の接地脚管部（１２）と起伏ストレート管（１４）とを組み立て、又は分解できることは言うまでもない。
【００３２】
（Ｅ）（Ｅ）は上記起伏ストレート管（１４）（１４）の先端へ固定状態に套嵌されたエンド継手の一対であって、その各個も硬質な合成樹脂から図１５〜２０のような平面視のほぼ扇型に一体成形されており、その互いに合致連通する水平なカバー凹溝（２４）と垂直なカバー凹溝（２５）とが、ブランコの組立使用状態において、図１〜６や図８、９のようにジャングルジム（Ｇ）の交叉する縦水平骨管（Ｙ）と垂直骨管（Ｚ）へ、着脱自在に被着一体化されるようになっている。
【００３３】
尚、（Ｘ）は上記縦水平骨管（Ｙ）並びに垂直骨管（Ｚ）と相俟って、ジャングルジム（Ｇ）を枠組み立体化する横水平骨管であり、これらの骨管（Ｘ）（Ｙ）（Ｚ）はすべて硬質な合成樹脂管から成る。
【００３４】
更に、上記左右一対の軸受台（Ｂ１）（Ｂ２）は何れも予じめ縦割りされた硬質な合成樹脂製の表皮盤（２６）（２６）と裏皮盤（２７）（２７）とから成り、しかもその表皮盤（２６）（２６）と裏皮盤（２７）（２７）とが図２１〜３１のように、言わば最中菓子の如く閉合され、且つ複数本づつの水平な植込みボルト（２８）（２８）を介して締結一体化されており、その中空内部へ上記天井枠フレーム（Ｆ１）の垂直な差込み支柱管部（２）（２）を各々受け入れる。（２９）（２９）はその植込みボルト（２８）（２８）の受け入れ用ネジ孔である。
【００３５】
図示実施形態の場合、左右何れか一方の軸受台（Ｂ１）は図５のようなオルゴール（３０）の内蔵ケースとして、その下方から上記床枠フレーム（Ｆ２）により支持された状態にある。これに比し、残る他方の軸受台（Ｂ２）はジャングルジム（Ｇ）に対する天井枠フレーム（Ｆ１）の取付ベースとして、その軸受台（Ｂ２）の上下両端部から図２６〜３０や図３５のような差込み継手（３１）（３１）（３２）（３２）の前後一対づつが水平に張り出されており、これらをジャングルジム（Ｇ）における隣り合う上下一対の縦水平骨管（Ｙ）へ差し込み一体化している。そのジャングルジム（Ｇ）が他方の軸受台（Ｂ２）を支持する剛性な床枠フレーム（Ｆ２）として、兼用されているわけである。
【００３６】
（３３）（３３）はこのような両軸受台（Ｂ１）（Ｂ２）の上端中央部から連続一体に垂立する１個づつの雄ネジ口筒であり、ここへ上方から上記天井枠フレーム（Ｆ１）の垂直な差込み支柱管部（２）（２）が、各々抜き差し自在に差し込まれることとなる。その差し込まれた差込み支柱管部（２）（２）の水平な貫通ピン（４）（４）は、雄ネジ口筒（３３）（３３）の開口上縁部によって受け止められる。
【００３７】
又、上記オルゴール（３０）の内蔵ケースを兼ねた一方の軸受台（Ｂ１）に限っては図２１〜２５のように、その下端部からも並列する前後一対の雄ネジ口筒（３４）（３４）が連続一体に垂下しており、ここへ下方から上記床枠フレーム（Ｆ２）の垂直な差込み支柱管部（１１）（１１）が、やはり抜き差し自在に各々差し込まれるようになっている。その差し込まれた差込み支柱管部（１１）（１１）の水平な貫通ピン（１６）（１６）は、雄ネジ口筒（３４）（３４）の開口下縁部によって受け止められる。
【００３８】
このような合計４個の雄ネジ口筒（３３）（３３）（３４）（３４）は悉く同一であり、その各個の開口縁部には上記貫通ピン（４）（４）（１６）（１６）と係脱自在に係合するカム溝（３５）（３５）（３６）（３６）の向かい合う一対が、滑らかな半円型として切り欠かれている。そのカム溝（３５）（３５）（３６）（３６）の内部へ貫通ピン（４）（４）（１６）（１６）が沈み込む如く係合した時、上記天井枠フレーム（Ｆ１）の差込み支柱管部（２）（２）とその両軸受台（Ｂ１）（Ｂ２）とは、相対的な回動不能の位置決め状態に仮り止めされ、又上記床枠フレーム（Ｆ２）の両差込み支柱管部（１１）（１１）とその軸受台（Ｂ１）とは、やはり相対的な回動不能の位置決め状態に仮り止めされることとなる。
【００３９】
その場合、上記オルゴール（３０）の内蔵ケースを兼ねた軸受台（Ｂ１）の上端部から垂立する１個の雄ネジ口筒（３３）が、その軸受台（Ｂ１）の中央位置にあるに反し、同じく軸受台（Ｂ１）の下端部から逆向きに垂下する両雄ネジ口筒（３４）（３４）は、前後一対として振り分け配置されているため、上記天井枠フレーム（Ｆ１）の差込み支柱管部（２）（２）と床枠フレーム（Ｆ２）の両差込み支柱管部（１１）（１１）とが、その共通する軸受台（Ｂ１）の内部において干渉し合うおそれはない。
【００４０】
尚、上記合計４個の雄ネジ口筒（３３）（３３）（３４）（３４）はその貫通ピン（４）（４）（１６）（１６）と係合するカム溝（３５）（３５）（３６）（３６）も含む構成の全体として、悉く同一である。
【００４１】
更に、（３７）（３７）（３８）（３８）は上記雄ネジ口筒（３３）（３３）（３４）（３４）に対応する個数として、天井枠フレーム（Ｆ１）の差込み支柱管部（２）（２）と床枠フレーム（Ｆ２）における両エルボ管（１３）（１３）の差込み支柱管部（１１）（１１）へ、各々予じめスライド自在に差し込まれたキャップナットであり、その合計４個の悉く同一構成として、硬質な合成樹脂から図３２〜３４のような円錐頭部を有するほぼ吊り鐘型に一体成形されており、これを上記軸受台（Ｂ１）（Ｂ２）の雄ネジ口筒（３３）（３３）（３４）（３４）へ、各々着脱自在に螺合締結するようになっている。（３７ａ）（３８ａ）はその各キャップナット（３７）（３８）における円錐頭部の内面に対応形成された貫通ピン用押圧段面である。
【００４２】
つまり、上記軸受台（Ｂ１）（Ｂ２）の上端中央部から垂立する雄ネジ口筒（３３）（３３）へ螺合した天井枠フレーム（Ｆ１）側のキャップナット（３７）（３７）を、上方から螺進操作して図３６、３８、４０のように強く締め上げれば、その天井枠フレーム（Ｆ１）における差込み支柱管部（２）（２）の水平な貫通ピン（４）（４）が、キャップナット（３７）（３７）の押圧段面（３７ａ）により上記カム溝（３５）（３５）の内部へ押え付け拘束されることになって、天井枠フレーム（Ｆ１）の差込み支柱管部（２）（２）とその軸受台（Ｂ１）（Ｂ２）とが、相対的な回動不能に固定ロックされるのである。
【００４３】
他方、上記オルゴール（３０）の内蔵ケースを兼ねた軸受台（Ｂ１）の下端部から垂下する前後一対の雄ネジ口筒（３４）（３４）へ螺合した床枠フレーム（Ｆ２）側のキャップナット（３８）（３８）を、下方から螺進操作して図４０のように強く締め上げれば、その床枠フレーム（Ｆ２）における差込み支柱管部（１１）（１１）の水平な貫通ピン（１６）（１６）が、キャップナット（３８）（３８）の押圧段面（３８ａ）により上記カム溝（３６）（３６）の内部へ、やはり押え付け拘束されることとなり、床枠フレーム（Ｆ２）の差込み支柱管部（１１）（１１）とその軸受台（Ｂ１）とが、相対的な回動不能に固定ロックされるのである。その結果、図１〜６のような床枠フレーム（Ｆ２）が安定良く接地したブランコの組立使用状態に保てる。
【００４４】
又、上記軸受台（Ｂ１）（Ｂ２）の雄ネジ口筒（３３）（３３）（３４）（３４）に各々螺合締結されているキャップナット（３７）（３７）（３８）（３８）を、図３７、３９、４１のようにすべて螺退操作することにより若干弛緩させ、そのキャップナット（３７）（３７）（３８）（３８）の押圧段面（３７ａ）（３８ａ）による貫通ピン（４）（４）（１６）（１６）の押え付け拘束力を解けば、上記天井枠フレーム（Ｆ１）の差込み支柱管部（２）（２）や床枠フレーム（Ｆ２）の差込み支柱管部（１１）（１１）を、その対応する軸受台（Ｂ１）（Ｂ２）との相対的に回動操作することができる。その結果、図４２〜４６の順序に従って、上記ブランコをジャングルジム（Ｇ）と密接する小型・扁平に折りたためるのである。
【００４５】
上記天井枠フレーム（Ｆ１）の差込み支柱管部（２）（２）や床枠フレーム（Ｆ２）の差込み支柱管部（１１）（１１）を、その軸受台（Ｂ１）（Ｂ２）との相対的に回動操作する過程では、水平な貫通ピン（４）（４）（１６）（１６）が雄ネジ口筒（３３）（３３）（３４）（３４）のカム溝（３５）（３５）（３６）（３６）から浮き出し遊離して、自由に回動作用するけれども、その貫通ピン（４）（４）（１６）（１６）はキャップナット（３７）（３７）（３８）（３８）によって依然被覆された状態にあるため、天井枠フレーム（Ｆ１）の差込み支柱管部（２）（２）や床枠フレーム（Ｆ２）の差込み支柱管部（１１）（１１）から、不慮に抜け出し落下するおそれはない。
【００４６】
但し、上記軸受台（Ｂ１）（Ｂ２）の雄ネジ口筒（３３）（３３）（３４）（３４）に対するキャップナット（３７）（３７）（３８）（３８）の螺合状態をすべて解除すれば、上記ブランコの天井枠フレーム（Ｆ１）と軸受台（Ｂ１）（Ｂ２）並びに床枠フレーム（Ｆ２）を分解することができ、その分解作業のみならず、再度の組立作業も工具の必要なく、手先のみによってすばやく行なえるのである。
【図面の簡単な説明】
【００４７】
【図１】折りたたみ式ブランコに適用した本考案の使用状態を示す斜面図である。
【図２】図１の正面図である。
【図３】図２の側面図である。
【図４】図２の平面図である。
【図５】図４の５−５線断面図である。
【図６】図２の６−６線断面図である。
【図７】図２の７−７線拡大断面図である。
【図８】図３の８−８線拡大断面図である。
【図９】図８から起伏ストレート管を起立させた折りたたみ状態の断面図である。
【図１０】図８の１０−１０線拡大断面図である。
【図１１】回動コーナー継手を抽出して示す平面図である。
【図１２】図１１の底面図である。
【図１３】図１２の１３−１３線断面図である。
【図１４】図１３の１４−１４線断面図である。
【図１５】エンド継手を抽出して示す平面図である。
【図１６】図１５の正面図である。
【図１７】図１６の背面図である。
【図１８】図１６の底面図である。
【図１９】図１５の１９−１９線断面図である。
【図２０】図１５の２０−２０線断面図である。
【図２１】一方の軸受台を抽出して示す正面図である。
【図２２】図２１の背面図である。
【図２３】図２１の平面図である。
【図２４】図２１の底面図である。
【図２５】図２２の２５−２５線断面図である。
【図２６】他方の軸受台を抽出して示す正面図である。
【図２７】図２６の背面図である。
【図２８】図２６の平面図である。
【図２９】図２６の側面図である。
【図３０】図２７の３０−３０線断面図である。
【図３１】図２７の３１−３１線断面図である。
【図３２】キャップナットを抽出して示す正面図である。
【図３３】図３２の底面図である。
【図３４】図３３の３４−３４線断面図である。
【図３５】ジャングルジムに他方の軸受台を取り付けた状態の部分拡大断面図である。
【図３６】図３５の３６−３６線断面図である。
【図３７】図３６からキャップナットを弛緩させた状態の断面図である。
【図３８】図３６の３８−３８線拡大断面図である。
【図３９】図３７の３９−３９線拡大断面図である。
【図４０】図２の４０−４０線拡大断面図である。
【図４１】図４０からキャップナットを悉く弛緩させた状態の断面図である。
【図４２】起伏ストレート管を起立させた折りたたみ過程の斜面図である。
【図４３】図４２の正面図である。
【図４４】図４３の平面図である。
【図４５】図４４からエルボ管を約９０度だけ回動させた折りたたみ過程の平面図である。
【図４６】図４５から金属管を更に約９０度だけ回動させた折りたたみ状態の平面図である。
【符号の説明】
【００４８】
（１）・バー管部
（２）（１１）・差込み支柱管部
（３）（１５）・貫通ピン受け入れ孔
（４）（１６）・貫通ピン
（４ａ）（１６ａ）・丸頭部
（５）・座席
（６）・ハンガーアーム
（７）・係止フック
（８）・トップパネル
（９）・ダボ
（１０）・ストッパーリング
（１２）・接地脚管部
（１３）・エルボ管
（１４）・起伏ストレート管
（１７）・接地脚管部受け入れ口筒
（１８）・起伏ストレート管受け入れ口筒
（１９）・貫通ボルト
（２０）・ナット
（２１）・板バネ
（２２）・出没ピン
（２３）・回動ガイド長孔
（２４）（２５）・カバー凹溝
（２６）・表皮盤
（２７）・裏皮盤
（２８）・植込みボルト
（２９）・ネジ孔
（３０）・オルゴール
（３１）（３２）・差込み継手
（３３）（３４）・雄ネジ口筒
（３５）（３６）・カム溝
（３７）（３８）・キャップナット
（３７ａ）（３８ａ）・押圧段面
（Ｂ１）（Ｂ２）・軸受台
（Ｃ）・回動コーナー継手
（Ｅ）・エンド継手
（Ｆ１）・天井枠フレーム
（Ｆ２）・床枠フレーム
（Ｇ）・ジャングルジム
（Ｓ）・ブランコ本体
（α）・回動角度範囲
【図１】
0003124476.tif 000003
【図２】
0003124476.tif 000004
【図３】
0003124476.tif 000005
【図４】
0003124476.tif 000006
【図５】
0003124476.tif 000007
【図６】
0003124476.tif 000008
【図７】
0003124476.tif 000009
【図８】
0003124476.tif 000010
【図９】
0003124476.tif 000011
【図１０】
0003124476.tif 000012
【図１１】
0003124476.tif 000013
【図１２】
0003124476.tif 000014
【図１３】
0003124476.tif 000015
【図１４】
0003124476.tif 000016
【図１５】
0003124476.tif 000017
【図１６】
0003124476.tif 000018
【図１７】
0003124476.tif 000019
【図１８】
0003124476.tif 000020
【図１９】
0003124476.tif 000021
【図２０】
0003124476.tif 000022
【図２１】
0003124476.tif 000023
【図２２】
0003124476.tif 000024
【図２３】
0003124476.tif 000025
【図２４】
0003124476.tif 000026
【図２５】
0003124476.tif 000027
【図２６】
0003124476.tif 000028
【図２７】
0003124476.tif 000029
【図２８】
0003124476.tif 000030
【図２９】
0003124476.tif 000031
【図３０】
0003124476.tif 000032
【図３１】
0003124476.tif 000033
【図３２】
0003124476.tif 000034
【図３３】
0003124476.tif 000035
【図３４】
0003124476.tif 000036
【図３５】
0003124476.tif 000037
【図３６】
0003124476.tif 000038
【図３７】
0003124476.tif 000039
【図３８】
0003124476.tif 000040
【図３９】
0003124476.tif 000041
【図４０】
0003124476.tif 000042
【図４１】
0003124476.tif 000043
【図４２】
0003124476.tif 000044
【図４３】
0003124476.tif 000045
【図４４】
0003124476.tif 000046
【図４５】
0003124476.tif 000047
【図４６】
0003124476.tif 000048